(57)【要約】【課題】複数種類の画像を複数の表示画面に表示させている状態において各表示画面うちの所望の表示画面に表示されている画像に注目させ得る画像表示システムを提供する。【解決手段】複数の画像表示装置と、各画像表示装置を制御して画像データに基づく画像１０２ａ〜１０２ｄを複数の表示画面１０１ａ〜１０１ｄにそれぞれ表示させる制御装置とを備え、制御装置は、各表示画面１０１ａ〜１０１ｄのうちの１つ以上の表示画面を選択する選択操作が可能な操作部を備えて構成されると共に、各表示画面１０１ａ〜１０１ｄに画像１０２ａ〜１０２ｄがそれぞれ表示されている状態において選択操作が行われたときに選択操作によって選択された表示画面（例えば表示画面１０１ｂ）に画像１０２ｂを表示している画像表示装置に対して表示画面を強調表示させる。【選択図】図８
2007240813.tif 000002
【特許請求の範囲】
【請求項１】
複数の画像表示装置と、前記各画像表示装置を制御して画像データに基づく画像を複数の表示画面にそれぞれ表示させる制御装置とを備えた画像表示システムであって、
前記制御装置は、前記各表示画面のうちの１つ以上の表示画面を選択する選択操作が可能な操作部を備えて構成されると共に、前記各表示画面に前記画像がそれぞれ表示されている状態において前記選択操作が行われたときに当該選択操作によって選択された表示画面に前記画像を表示している前記画像表示装置に対して当該表示画面を強調表示させる画像表示システム。
【請求項２】
前記制御装置は、前記選択操作が行われときに、前記選択された表示画面に前記画像を表示している前記画像表示装置に対して前記強調表示の実行を指示する制御信号を出力し、
前記画像表示装置は、前記強調表示用の強調表示データを記憶する記憶部を備えて構成されると共に、前記制御信号を入力したときに前記記憶部から前記強調表示データを読み出して前記強調表示を実行する請求項１記載の画像表示システム。
【請求項３】
前記制御装置は、前記選択操作が行われときに、前記選択された表示画面に前記画像を表示している前記画像表示装置に対して前記強調表示用の強調表示データを前記画像データと共に出力することによって当該画像表示装置に対して前記強調表示を実行させる請求項１記載の画像表示システム。
【請求項４】
前記制御装置は、前記強調表示させた表示画面内の前記画像を拡大して前記各表示画面に分割して表示させる全画面表示を前記各画像表示装置に対して実行させる請求項１から３のいずれかに記載の画像表示システム。
【請求項５】
前記制御装置は、前記画像表示装置に対して前記強調表示を所定時間継続させた後に終了させる請求項１から４のいずれかに記載の画像表示システム。
【請求項６】
表示部と、前記表示部を制御して外部から入力した画像データに基づく画像を表示画面に表示させる制御部とを備えた画像表示装置であって、
前記表示画面を強調表示する強調表示用の強調表示データを記憶する記憶部を備え、
前記制御部は、前記強調表示の実行を指示する制御信号を外部から入力したときに、前記記憶部から前記強調表示データを読み出して前記表示部に対して前記強調表示を実行させる画像表示装置。
【請求項７】
複数の画像表示装置を制御して画像データに基づく画像を複数の表示画面にそれぞれ表示させる画像表示方法であって、
前記各表示画面に前記画像がそれぞれ表示されている状態において当該各表示画面のうちの１つ以上の表示画面を選択する選択操作が行われたときに、前記選択操作によって選択された表示画面に前記画像を表示している前記画像表示装置に対して当該表示画面を強調表示させる画像表示方法。
【請求項８】
複数の画像表示装置を制御して画像データに基づく画像を複数の表示画面にそれぞれ表示させる制御装置を制御する画像表示プログラムであって、
前記各表示画面に前記画像がそれぞれ表示されている状態において当該各表示画面のうちの１つ以上の表示画面を選択する選択操作が行われたときに、前記選択操作によって選択された表示画面に前記画像を表示している前記画像表示装置に対して当該表示画面を強調表示させる処理を前記制御装置に実行させる画像表示プログラム。
【発明の詳細な説明】
【技術分野】
【０００１】
本発明は、画像データに基づく画像を表示画面に表示する画像表示システム、画像表示装置、画像表示方法および画像表示プログラムに関するものである。
【背景技術】
【０００２】
パーソナルコンピュータとプロジェクタとを接続して、パーソナルコンピュータから出力した画像データに基づく画像をプロジェクタに表示させる画像表示システムとして、特開２００５−３５２７９５号公報において出願人が開示した画像表示システムが知られている。この種の画像表示システムでは、手元に置いたパーソナルコンピュータを操作することで各種の画像を大型の表示画面に表示させることができるため、例えば、講演会やプレゼンテーション等において説明用の画像を表示する際に威力を発揮する。この場合、例えば、大ホールや屋外での使用の際には、さらに大形の表示画面に画像を表示する必要がある。このような使用形態においては、１台のパーソナルコンピュータに複数のプロジェクタを接続して、各プロジェクタが１つの画像を分割した分割画像を大型スクリーン内の複数の表示画面にそれぞれ表示したり、複数種類の画像を大型スクリーン内の複数の表示画面にそれぞれ表示したりする複数画面表示（マルチ画面表示）を実行可能な画像表示システムが採用される。
【特許文献１】特開２００５−３５２７９５号公報（第６頁、第１図）
【発明の開示】
【発明が解決しようとする課題】
【０００３】
ところが、複数画面表示を実行可能な上記の画像表示システムには以下の改善すべき課題が存在する。すなわち、この種の画像表示システムを用いて講演会やプレゼンテーション等を行う際に、複数のアプリケーションソフトによってそれぞれ生成される複数種類の画像をスクリーン内に複数画面表示させて、各画像を資料として説明するときには、受講者に対して各画像のうちの１つに注目させたいことがしばしば生じる。しかしながら、従来の画像表示システムには、このような使用形態に対応する機能が備えられておらず、利便性を向上させる上でこの点の改善が望まれている。
【０００４】
本発明は、かかる改善すべき点に鑑みてなされたものであり、複数種類の画像を複数の表示画面に表示させている状態において各表示画面うちの所望の表示画面に表示されている画像に注目させ得る画像表示システム、画像表示装置、画像表示方法および画像表示プログラムを提供することを主目的とする。
【課題を解決するための手段】
【０００５】
上記目的を達成すべく本発明に係る画像表示システムは、複数の画像表示装置と、前記各画像表示装置を制御して画像データに基づく画像を複数の表示画面にそれぞれ表示させる制御装置とを備えた画像表示システムであって、前記制御装置は、前記各表示画面のうちの１つ以上の表示画面を選択する選択操作が可能な操作部を備えて構成されると共に、前記各表示画面に前記画像がそれぞれ表示されている状態において前記選択操作が行われたときに当該選択操作によって選択された表示画面に前記画像を表示している前記画像表示装置に対して当該表示画面を強調表示させる。
【０００６】
また、本発明に係る画像表示方法は、複数の画像表示装置を制御して画像データに基づく画像を複数の表示画面にそれぞれ表示させる画像表示方法であって、前記各表示画面に前記画像がそれぞれ表示されている状態において当該各表示画面のうちの１つ以上の表示画面を選択する選択操作が行われたときに、前記選択操作によって選択された表示画面に前記画像を表示している前記画像表示装置に対して当該表示画面を強調表示させる。
【０００７】
また、本発明に係る画像表示プログラムは、複数の画像表示装置を制御して画像データに基づく画像を複数の表示画面にそれぞれ表示させる制御装置を制御する画像表示プログラムであって、前記各表示画面に前記画像がそれぞれ表示されている状態において当該各表示画面のうちの１つ以上の表示画面を選択する選択操作が行われたときに、前記選択操作によって選択された表示画面に前記画像を表示している前記画像表示装置に対して当該表示画面を強調表示させる処理を前記制御装置に実行させる。
【０００８】
この画像表示システム、画像表示方法および画像表示プログラムによれば、複数の表示画面に画像がそれぞれ表示されている状態において各表示画面のうちの１つ以上の表示画面を選択する選択操作が行われたときに、選択された表示画面に画像を表示している画像表示装置に対してその表示画面を強調表示させることにより、操作部を操作して所望の表示画面を選択するだけで、その表示画面を他の表示画面と明確に区別させることができる。したがって、例えば講演会やプレゼンテーション等において、受講者に対して強調表示した表示画面内の画像を確実に注目させることができるため、このような場での使用形態における利便性を十分に向上させることができる。
【０００９】
また、本発明に係る画像表示システムは、上記の画像表示システムにおいて、前記制御装置は、前記選択操作が行われときに、前記選択された表示画面に前記画像を表示している前記画像表示装置に対して前記強調表示の実行を指示する制御信号を出力し、前記画像表示装置は、前記強調表示用の強調表示データを記憶する記憶部を備えて構成されると共に、前記制御信号を入力したときに前記記憶部から前記強調表示データを読み出して前記強調表示を実行する。
【００１０】
また、本発明に係る画像表示装置は、表示部と、前記表示部を制御して外部から入力した画像データに基づく画像を表示画面に表示させる制御部とを備えた画像表示装置であって、前記表示画面を強調表示する強調表示用の強調表示データを記憶する記憶部を備え、前記制御部は、前記強調表示の実行を指示する制御信号を外部から入力したときに、前記記憶部から前記強調表示データを読み出して前記表示部に対して前記強調表示を実行させる。
【００１１】
この画像表示システムおよび画像表示装置によれば、制御装置が強調表示の実行を指示する制御信号を出力し、画像表示装置がその制御信号を入力したときに記憶部から強調表示データを読み出して強調表示を実行することにより、強調表示データを制御装置側から送信する必要がない分、強調表示を迅速に実行させることができる。
【００１２】
また、本発明に係る画像表示システムは、上記の画像表示システムにおいて、前記制御装置は、前記選択操作が行われときに、前記選択された表示画面に前記画像を表示している前記画像表示装置に対して前記強調表示用の強調表示データを前記画像データと共に出力することによって当該画像表示装置に対して前記強調表示を実行させる。
【００１３】
この画像表示システムによれば、制御装置が強調表示用の強調表示データを画像データと共に出力することにより、強調表示データを記録した記憶部を不要とすることができるため、記憶部を備えていない一般的な画像表示装置を用いて任意の表示画面を強調表示することができる。
【００１４】
また、本発明に係る画像表示システムは、上記の画像表示システムにおいて、前記制御装置は、前記強調表示させた表示画面内の前記画像を拡大して前記各表示画面に分割して表示させる全画面表示を前記各画像表示装置に対して実行させる。
【００１５】
この画像表示システムによれば、制御装置が、各画像表示装置に対して全画面表示を実行させることにより、強調表示させていた表示画面内の画像を全画面表示に切り替えることで、その画像を一層確実に注目させることができる。
【００１６】
また、本発明に係る画像表示システムは、上記の画像表示システムにおいて、前記制御装置は、前記画像表示装置に対して前記強調表示を所定時間継続させた後に終了させる。
【００１７】
この画像表示システムによれば、制御装置が、画像表示装置に対して強調表示の開始から所定時間を継続した後にその強調表示を終了させることにより、他の表示画面を選択し直すまで強調表示を継続する構成とは異なり、強調表示によって表示画面内の画像の一部が隠されたり見難くなったりすることで画像の内容の理解が困難となる事態を確実に回避することができる。
【発明を実施するための最良の形態】
【００１８】
以下、本発明に係る画像表示システム、画像表示装置、画像表示方法および画像表示プログラムの最良の形態について、添付図面を参照して説明する。図１に示す画像表示システム１は、本発明に係る画像表示システムの一例であって、同図に示すように、パーソナルコンピュータ２（以下、単に「コンピュータ２」ともいう）、および複数（一例として４台）のプロジェクタ３ａ〜３ｄ（以下、区別しないときには「プロジェクタ３」ともいう）を備えて構成されている。コンピュータ２は、本発明における制御装置に相当し、ネットワーク２００を介して各プロジェクタ３に画像データＤｇや本発明における制御信号に相当する制御データＤｃを含んだ送信データＤｔ（図２参照）を送信することにより、本発明に係る画像表示方法に従ってプロジェクタ３に対して各種の画像を表示させる。具体的には、コンピュータ２は、図２に示すように、制御部１１、ハードディスクドライブ１２、ＲＡＭ１３、操作部１４、ネットワーク部１５、ＶＲＡＭ１６、グラフィックコントローラ１７、ディスプレイ１８、およびこれら各構成要素を接続するバス１９を備えて構成されている。
【００１９】
制御部１１は、各種のコンピュータプログラムに従って各種の処理を実行すると共に、コンピュータ２を構成する各構成要素を制御する。また、制御部１１は、後述する表示制御処理５０を実行することにより、プロジェクタ３に対して画像データＤｇに基づく画像を表示させる。ハードディスクドライブ１２は、オペレーティングシステム、グラフィカルデバイスインタフェース、ディスプレイドライバ、プロジェクタドライバ、マウスドライバおよびキーボードドライバ等の各種ドライバ、並びに複数のアプリケーションプログラム（アプリケーションプソフト）などの各種コンピュータプログラムを記憶する。この場合、各アプリケーションプログラムの１つが本発明に係る画像表示プログラムに相当し、ＣＤＲＯＭや磁気ディスク等によって提供されて、ハードディスクドライブ１２に記憶されている。
【００２０】
ＲＡＭ１３は、システムメモリであって、ハードディスクドライブ１２に記憶されている各種のコンピュータプログラムを一時的に記憶する。また、ＲＡＭ１３は、各プロジェクタ３ａ〜３ｄ毎に割り当てられる仮想ディスプレイ（記憶領域）内に制御部１１によって描画される（書き込まれる）画像データＤｇを記憶する。操作部１４は、例えばキーボード１４ａおよびマウス１４ｂ（いずれも図１参照）を備えて構成されている。この場合、キーボード１４ａおよびマウス１４ｂは、操作に応じた操作信号Ｓｏを出力する。ネットワーク部１５は、制御部１１の制御に従って送信データＤｔを送信する。ＶＲＡＭ１６は、制御部１１によって書き込まれる（描画される）画像データＤｇを記憶する。グラフィックコントローラ１７は、ＶＲＡＭ１６に記憶されている画像データＤｇに基づく画像をディスプレイ１８に表示させる。ディスプレイ１８は、例えばＬＣＤ（液晶ディスプレイ）で構成されている。
【００２１】
一方、プロジェクタ３ａ〜３ｄは、本発明に係る画像表示装置の一例であって、図４に示すように、スクリーン１００内の４つの表示画面１０１ａ〜１０１ｄ（以下、区別しないときには「表示画面１０１」ともいう）に投射光Ｌをそれぞれ投射することにより、各表示画面１０１ａ〜１０１ｄに各種の画像（一例として、図５に示す画像１０２ａ〜１０２ｄ）を表示する。具体的には、各プロジェクタ３は、図３に示すように、制御部２１、ネットワーク部２２、ＲＯＭ２３、更新フレーム処理部２４、マーカー表示部２５、画像処理部２６、投射部２７、およびこれらの各要素を接続するバス２８を備えて構成されている。制御部２１は、動作プログラムに従って各種の処理を実行すると共に、プロジェクタ３を構成する各構成要素を制御する。また、制御部２１は、後述する画像表示処理６０を実行することにより、投射部２７に対して投射光Ｌを投射させて各種の画像を表示させる。この場合、制御部２１は、画像表示処理６０の実行時において、送信データＤｔに所定の制御データＤｃが含まれているときには、スクリーン１００内における所定の表示画面１０１を他の表示画面１０１とは明確に区別させるための強調表示を実行する。
【００２２】
ネットワーク部２２は、ネットワーク２００を介してコンピュータ２のネットワーク部１５に接続され、コンピュータ２から送信された送信データＤｔを受信する。ＲＯＭ２３は、プロジェクタ３の各構成要素用の動作プログラムを記憶する。また、ＲＯＭ２３は、上記した強調表示の実行時に用いられる強調表示データＤｅを記憶する。この場合、強調表示データＤｅは、表示画面１０１の外周縁部に太枠状のマーカーＭ（図８参照）を表示させることでその表示画面１０１を強調表示するときに用いられる。更新フレーム処理部２４は、コンピュータ２からの送信データＤｔに含まれている画像データＤｇに基づいて更新フレームデータＤｒを生成する。マーカー表示部２５は、ＲＯＭ２３から強調表示データＤｅを読み出して画像処理部２６に出力する。画像処理部２６は、更新フレーム処理部２４によって生成される更新フレームデータＤｒに基づいて画像表示用の表示用データＤｉを生成する。また、画像処理部２６は、マーカー表示部２５から強調表示データＤｅが出力されたときには、更新フレームデータＤｒと強調表示データＤｅとに基いて表示用データＤｉを生成する。投射部２７は、本発明における表示部に相当し、光源、光変調素子および投射レンズを備えて構成され、画像処理部２６によって生成される表示用データＤｉに基づいて光変調した投射光Ｌを投射する。
【００２３】
次に、画像表示システム１の使用方法、およびその際の画像表示システム１の全体的な動作について、図面を参照して説明する。この場合、コンピュータ２に４つのアプリケーションソフト（一例として、ワープロソフト、表計算ソフト、描画ソフトおよびプレゼンテーションソフト）を起動させて、これらのアプリケーションソフトによって生成される画像をスクリーン１００内に表示させ、その画像を資料としてプレゼンテーションを行う例について説明する。
【００２４】
この例では、まず、キーボード１４ａおよびマウス１４ｂを操作して、コンピュータ２に上記の４つのアプリケーションソフトを起動させる。この際に、コンピュータ２において、制御部１１が、キーボード１４ａおよびキーボード１４ａからの操作信号Ｓｏに従い、ハードディスクドライブ１２から各アプリケーションソフトを読み出してＲＡＭ１３に記憶させると共に、各アプリケーションソフトに従って処理を実行する。この場合、制御部１１は、各アプリケーションソフトによって生成される画像データＤｇをＶＲＡＭ１６に記憶させる。また、グラフィックコントローラ１７が、ＶＲＡＭ１６に記憶された画像データＤｇに基づく画像をディスプレイ１８に表示させる。
【００２５】
次に、各アプリケーションソフトによって生成される４種類の画像１０２ａ〜１０２ｄ（以下、区別しないときには「画像１０２」ともいう）をスクリーン１００内の表示画面１０１ａ〜１０１ｄにそれぞれ表示させるマルチ画面表示（複数画面表示）を実行させる際には、キーボード１４ａおよびマウス１４ｂを操作して、画像表示プログラムを起動させる。この際に、制御部１１が操作信号Ｓｏに従って上記と同様に動作することにより、操作画面（図示せず）がディスプレイ１８に表示される。次いで、例えば、マウス１４ｂを用いて、操作画面内の「マルチ表示」を選択すると共に、各表示画面１０１ａ〜１０１ｄに表示させる画像のアプリケーションソフトの種類を指定する。
【００２６】
この際に、制御部１１は、マウス１４ｂからの操作信号Ｓｏに従い、図６に示す表示制御処理５０を実行する。この表示制御処理５０では、制御部１１は、フレームデータ取得処理を実行する（ステップ５１）。このフレームデータ取得処理では、制御部１１は、各プロジェクタ３ａ〜３ｄ（各表示画面１０１ａ〜１０１ｄ）に対応付けた４つの仮想ディスプレイ（記憶領域）をＲＡＭ１３内に割り当てる。また、制御部１１は、各アプリケーションソフトによって生成される画像データＤｇを画像（フレーム）の更新レート（リフレッシュレート）毎に取得して、各仮想ディスプレイ（記憶領域）に描画する（記憶させる）。次いで、制御部１１は、マウス１４ｂからの操作信号Ｓｏに基づき、マウスポインタがいずれかの仮想ディスプレイ内に存在するか否か、つまりマウスポインタの表示される位置が各仮想ディスプレイに対応するいずれかの表示画面１０１内に存在するか否かを判別する（ステップ５２）。この場合、この時点において、マウスポインタがいずれの仮想ディスプレイ内にも存在していないときには、マーカーＭ（図８参照）を非表示とするために、マーカーＭの表示および非表示を指示するマーカー表示フラグを「 FALSE」に設定する（ステップ５３）。
【００２７】
次いで、制御部１１は、ネットワーク部１５に対して各仮想ディスプレイに描画した画像データＤｇと、「 FALSE」に設定したマーカー表示フラグを示す制御データＤｃとを含む送信データＤｔをプロジェクタ３ｂに送信させる（ステップ５４）。この場合、制御部１１は、アプリケーションソフトによって生成される画像が変化しないときには、上記したフレームデータ取得処理において、ＲＡＭ１３に記憶させた画像データＤｇをそのままの状態に維持すると共に、画像が変化するまでステップ５４における画像データＤｇの送信を停止させる。これに対して、画像が変化したときには、フレームデータ取得処理（ステップ５１）において、その変化した領域（以下、この領域を「変化領域」ともいう）に対応する画像データＤｇだけをＲＡＭ１３に記憶させると共に、ステップ５４において、その変化領域に対応する画像データＤｇを送信させる。
【００２８】
一方、プロジェクタ３ｂでは、制御部２１が、ＲＯＭ２３から動作プログラムを読み出して、その動作プログラムに従い、図７に示す画像表示処理６０を実行する。この画像表示処理６０では、制御部２１は、コンピュータ２からの送信データＤｔがネットワーク部２２によって受信された否かを判別する（ステップ６１）。この場合、送信データＤｔが入力されていないときには、制御部２１は、ステップ６１を繰り返して実行する。一方、送信データＤｔを入力したときには、送信データＤｔに含まれてる画像データＤｇに基づき、フレーム更新処理を実行する（ステップ６２）。このフレーム更新処理では、制御部２１は、更新フレーム処理部２４に対して、画像データＤｇに基づく更新フレームデータＤｒを生成させる。次いで、制御部２１は、送信データＤｔに含まれているマーカー表示フラグが「TRUE」であるか否かを判別する（ステップ６３）。この場合、マーカー表示フラグが「 FALSE」であるため、制御部２１は、後述するマーカー表示処理を実行することなく（ステップ６４）、画像処理部２６に更新フレームデータＤｒに基づく表示用データＤｉを生成させる。続いて、投射部２７が表示用データＤｉに基づいて光変調した投射光Ｌを投射する。この際に、各プロジェクタ３からの投射光Ｌの投射により、図５に示すように、スクリーン１００における各表示画面１０１ａ〜１０１ｄに各アプリケーションソフトによって生成された画像１０２ａ〜１０２ｄがそれぞれ表示される。これにより、各画像１０２ａ〜１０２ｄを資料とする説明が可能となる。次いで、制御部２１は、画像表示処理６０を終了する。
【００２９】
次に、図５に示す各画像１０２のうちの１つの画像１０２（例えば、画像１０２ｂ）に注目させるために、その画像１０２ｂを表示している表示画面１０１ｂを強調表示させるときには、マウス１４ｂを操作してマウスポインタを移動させる。一方、コンピュータ２の制御部１１は、上記したように、表示制御処理５０のステップ５２において、マウス１４ｂからの操作信号Ｓｏに基づいてマウスポインタがいずれかの仮想ディスプレイ内に存在するか否かを判別する（ステップ５２）。この場合、図８に示すように、マウスポインタを示すマウスポインタ画像Ｐを表示画面１０１ｂ内に移動させたとき、つまりマウス１４ｂで表示画面１０１ｂを選択したとき（本発明における選択操作が行われたとき）には、制御部１１は、表示画面１０１ｂ（本発明における選択された表示画面）に対応する仮想ディスプレイ内におけるマウスポインタの存在を検出する。この際に、制御部１１は、表示制御処理５０において、その仮想ディスプレイ内においてマウスポインタを最初に検出してから所定時間ｔ（例えば５秒）が経過したか否かを判別する（ステップ５５）。この時点では、マウスポインタの最初の検出であり、所定時間ｔが経過していないため、制御部１１は、マーカー表示フラグを「TRUE」に設定すると共に（ステップ５６）、経過時間を計測するためのタイマをスタートさせる。続いて、制御部１１は、ネットワーク部１５を制御して、仮想ディスプレイに描画した画像データＤｇと、「TRUE」に設定したマーカー表示フラグを示す制御データＤｃ（本発明における強調表示の実行を指示する制御信号）とを含む送信データＤｔをプロジェクタ３ｂに送信させる（ステップ５４）。
【００３０】
この際に、プロジェクタ３ｂの制御部２１は、画像表示処理６０のステップ６３において、マーカー表示フラグが「TRUE」であると判別して、マーカー表示処理を実行する（ステップ６５）。具体的には、制御部２１は、マーカー表示部２５を制御してＲＯＭ２３から強調表示データＤｅを読み出させると共に、画像処理部２６を制御して更新フレームデータＤｒと強調表示データＤｅとに基づく表示用データＤｉを生成させる。続いて、投射部２７が表示用データＤｉに基づいて光変調した投射光Ｌを投射することにより、図８に示すように、スクリーン１００における各表示画面１０１ａ〜１０１ｄのうちの表示画面１０１ｂの外周縁部に太枠状のマーカーＭが表示される。この場合、マーカーＭが表示されることにより、表示画面１０１ｂを他の表示画面１０１と明確に区別させることが可能なため、受講者に対して表示画面１０１ｂ内の画像１０２ｂを確実に注目させることが可能となる。
【００３１】
ここで、例えば、表示画面１０１ｂに対応する仮想ディスプレイ内にマウスポインタが存在している時間、つまり表示画面１０１ｂ内にマウスポインタ画像Ｐが表示されている時間が所定時間ｔを経過したときには、コンピュータ２の制御部２１は、上記した表示制御処理５０のステップ５５において所定時間ｔが経過したと判別して、マーカー表示フラグを「 FALSE」に設定する（ステップ５３）。次いで、制御部２１は、ネットワーク部１５を制御して、仮想ディスプレイに描画した画像データＤｇと、「 FALSE」に設定したマーカー表示フラグを示す制御データＤｃとを含む送信データＤｔをプロジェクタ３ｂに送信させる（ステップ５４）。この際には、プロジェクタ３ｂの制御部２１は、上記した画像表示処理６０の（ステップ６３）において、マーカー表示フラグが「TRUE」ではない（「 FALSE」である）と判別して、マーカーＭを非表示とするマーカー非表示処理を実行する（ステップ６４）。この場合、所定時間ｔが経過したときにマーカーＭが非表示となるため、マウスポインタ画像Ｐが表示されている間においてマーカーＭが表示され続ける構成とは異なり、マーカーＭの表示によって表示画面１０１内の画像１０２の一部が隠されることで画像１０２の内容理解が困難となる事態が回避される。なお、マーカー表示フラグを「TRUE」または「 FALSE」に設定した時点において送信すべき画像データＤｇが存在しないとき、つまりその時点においてアプリケーションソフトによって生成される画像に変化がないときには、制御部１１は、ネットワーク部１５を制御して、画像データＤｇを含んでいない（マーカー表示フラグを示す制御データＤｃだけを含む）送信データＤｔを送信させる。
【００３２】
次に、マーカーＭを表示させることで強調表示させた表示画面１０１ｂ内の画像１０２ｂを、拡大すると共に４分割して各表示画面１０１ａ〜１０１ｄにそれぞれ表示させる全画面表示を実行させる際には、上記した画像表示プログラムによって生成される操作画面内から「全画面表示」を選択する。この際に、制御部１１は、表示画面１０１ｂに対応するアプリケーションソフト（この場合、表計算のアプリケーションソフト）によって生成されている画像データＤｇを更新レート毎に取得すると共に、取得した画像データＤｇを４分割して、ＲＡＭ１３内の４つの仮想ディスプレイ（記憶領域）にそれぞれ描画する（書き込む）。次いで、制御部１１は、ネットワーク部１５に対して各仮想ディスプレイに描画した画像データＤｇを含む送信データＤｔを送信させる。一方、各プロジェクタ３では、制御部２１が、上記したフレーム更新処理を実行する。これにより、各プロジェクタ３からの投射光Ｌの投射によって図９に示すように、スクリーン１００全体に亘って画像１０２ｂが全画面表示される。この場合、強調表示させていた表示画面１０１ｂの画像１０２ｂを全画面表示に切り替えることで、プレゼンテーションにめりはりをつけることが可能となる。
【００３３】
このように、この画像表示システム１、画像表示方法および画像表示プログラムによれば、マルチ画面表示を実行している状態においてマウスポインタ画像Ｐが表示画面１０１内に存在しているときに、その表示画面１０１に画像１０２を表示しているプロジェクタ３に対して表示画面１０１を強調表示させることにより、マウス１４ｂを操作してマウスポインタ画像Ｐを所望の表示画面１０１内に移動させる簡易な操作を行うだけで、その表示画面１０１を他の表示画面１０１と明確に区別させることができる。したがって、例えばプレゼンテーション等において、受講者に対して強調表示した表示画面１０１内の画像１０２を確実に注目させることができるため、このような場での使用形態における利便性を十分に向上させることができる。
【００３４】
また、この画像表示システム１およびプロジェクタ３によれば、強調表示を指示する制御データＤｃを出力し、プロジェクタ３がその制御データＤｃを入力したときにＲＯＭ２３から強調表示データＤｅを読み出して強調表示を実行することにより、強調表示データＤｅをコンピュータ２側から送信する必要がない分、プロジェクタ３に対して強調表示を迅速に実行させることができる。
【００３５】
また、この画像表示システム１によれば、コンピュータ２が、強調表示させた表示画面１０１内の画像１０２を拡大して各表示画面１０１に分割して表示させる全画面表示を各プロジェクタ３に対して実行させることにより、強調表示させていた表示画面１０１内の画像１０２を全画面表示に切り替えることで、その画像１０２を一層確実に注目させることができる。
【００３６】
また、この画像表示システム１によれば、コンピュータ２が、プロジェクタ３に対して強調表示の開始から所定時間ｔを継続した後にその強調表示を終了させることにより、強調表示としてのマーカーＭの表示が所定時間ｔを経過したときに非表示となるため、マウスポインタ画像Ｐが存在している間、マーカーＭが表示され続ける構成とは異なり、マーカーＭの表示によって表示画面１０１内の画像１０２の一部が隠されることで画像１０２の内容の理解が困難となる事態を確実に回避することができる。
【００３７】
なお、本発明は、上記の構成に限定されない。例えば、コンピュータ２がマーカー表示フラグを送信データＤｔに含ませてプロジェクタ３に送信することで、マーカーＭの表示または非表示を制御する構成例について上記したが、マーカーＭの表示または非表示の制御方法はこれに限定されない。例えば、制御部１１が、仮想ディスプレイ内にマウスポインタが存在すると判別したときに、画像データＤｇと太枠状の強調表示データＤｅとを仮想ディスプレイ内に描画してその両者からなるデータを、画像データＤｇおよびマーカー表示フラグに代えて送信データＤｔとして送信する構成を採用することもできる。この構成によれば、強調表示データＤｅを記録したＲＯＭ２３を不要とすることができるため、ＲＯＭ２３を備えていない一般的なプロジェクタを用いて任意の表示画面１０１を強調表示することが可能となる。
【００３８】
また、スクリーン１００における４つの表示画面１０１ａ〜１０１ｄに画像１０２をマルチ画面表示および全画面表示させる例について上記したが、表示画面１０１の数は４つに限定されず任意に規定することができる。また、マルチ画面表示において各表示画面１０１ａ〜１０１ｄに互いに異なるアプリケーションソフトによって生成された画像１０２をそれぞれ表示させる例について上記したが、複数の画面に１つのアプリケーションソフトによって生成された画像１０２を表示させることもできる。さらに、４つの表示画面１０１の中から選択した１つの表示画面１０１を強調表示させる例について上記したが、複数の表示画面１０１を選択してその複数の表示画面１０１を強調表示させることもできる。さらに、強調表示方法としては、上記のマーカーＭの表示に限定されず、例えばマウスポインタ画像Ｐを大きく表示したり、選択した表示画面１０１の色相や明度を他の表示画面１０１とは異ならせたりする方法を採用することもできる。
【００３９】
また、画像表示装置としてのプロジェクタ３に本発明を適用した例について上記したが、これに限定されず、ＣＲＴ、液晶表示パネルおよびプラズマディスプレイ等の各種の画像表示装置に本発明を適用することができる。また、マウス１４ｂを操作して強調表示させる表示画面１０１を選択する例について上記したが、マウスに代えて、マウス以外の各種のポインティングデバイスを用いることもできる。さらに、マウス１４ｂに代えて（またはマウス１４ｂと共に）、キーボード１４ａを用いて強調表示させる表示画面１０１を選択する構成を採用することもできる。また、ネットワーク２００を介してパーソナルコンピュータ２から各プロジェクタ３に送信データＤｔを送信する例について上記したが、例えば、プロジェクタ３の数と同数のグラフィックコントローラ１７およびＶＲＡＭ１６をそれぞれ備えて、各グラフィックコントローラ１７と各プロジェクタ３とをケーブル接続する構成を採用することもできる。
【図面の簡単な説明】
【００４０】
【図１】画像表示システム１の構成を示す構成図である。
【図２】コンピュータ２の構成を示すブロック図である。
【図３】プロジェクタ３の構成を示すブロック図である。
【図４】スクリーン１００およびプロジェクタ３の配置状態を示す配置図である。
【図５】画像１０２ａ〜１０２ｄをマルチ表示している状態の表示画面図である。
【図６】表示制御処理５０のフローチャートである。
【図７】画像表示処理６０のフローチャートである。
【図８】画像１０２ｂを強調表示している状態の表示画面図である。
【図９】画像１０２ｂを全画面表示している状態の表示画面図である。
【符号の説明】
【００４１】
１  画像表示システム、２  パーソナルコンピュータ、３  プロジェクタ、１４  操作部、１４ａ  キーボード、１４ｂ  マウス、２１  制御部、２３  ＲＯＭ、２７  投射部、１０１ａ〜１０１ｄ  表示画面、１０２ａ〜１０２ｄ  画像、Ｄｃ  制御データ、Ｄｅ  強調表示データ、Ｄｇ  画像データ、Ｍ  マーカー、ｔ  所定時間
【図１】
2007240813.tif 000003
【図２】
2007240813.tif 000004
【図３】
2007240813.tif 000005
【図４】
2007240813.tif 000006
【図５】
2007240813.tif 000007
【図６】
2007240813.tif 000008
【図７】
2007240813.tif 000009
【図８】
2007240813.tif 000010
【図９】
2007240813.tif 000011